(57)【要約】      （修正有）【課題】従来のゴミ袋を用いてもなお、鳥獣がゴミ袋を漁ることを妨げる鳥獣忌避剤、及びかかる鳥獣忌避剤をゴミ袋等の表面に付着させるために好適に用いられる噴霧器の提供。【解決手段】鳥獣忌避剤は、唐辛子から溶媒を用いて抽出された抽出物、唐辛子粉末、展着剤、水で構成される。噴霧器は、鳥獣忌避剤１４を蓄える容器１８、容器に空気を供給して容器内を加圧する加圧手段２２、加圧手段に接続されて加圧手段から供給された空気を容器の底部へ誘導する誘導管２６、誘導管の下端に接続されて水平に延び、空気を導入する延長管５４、延長管の壁面に形成されて空気を通過させるピンホール５８、鳥獣忌避剤に浸されて鳥獣忌避剤を導入する導入口３０、鳥獣忌避剤の排出口３４を有する排出管３８、導入口３０にフランジ４２を介して取り付けられた下方に突出する湾曲面を有して形成されたメッシュ部材４６、排出口に設けられたノズル５０で構成される。【選択図】図１（ａ）
2005176795.tif 000002
【特許請求の範囲】
【請求項１】
唐辛子粉末を含む溶液を封入し得る容器と、
前記容器内に空気を供給して、前記容器内を加圧する加圧手段と、
前記加圧手段に接続されて、前記加圧手段から供給された空気を前記容器の内底部へ誘導する誘導管と、
前記溶液に浸されて前記溶液を導入する導入口を下端に有し、前記溶液を容器外に排出する排出口を上端に有する排出管と、
を含んで構成され、
前記排出管の導入口に、前記排出管の中空部の断面積より大きいみかけ表面積を有するメッシュ部材が張られた、唐辛子粉末と伴に溶液を噴霧し得る噴霧器。
【請求項２】
前記メッシュ部材が、下方に突出する湾曲面を有して形成された請求項１に記載の噴霧器。
【請求項３】
前記誘導管の下端から延出されて水平に延びる延長管を備え、
前記延長管の壁面に、１又は複数のピンホールが形成され、前記延長管が前記メッシュ部材の下方に設けられた請求項１又は２に記載の噴霧器。
【請求項４】
唐辛子の溶媒抽出物と、唐辛子粉末と、展着剤と、水とを含んで構成される鳥獣忌避剤。
【請求項５】
前記溶媒抽出物が１〜３５重量％、前記唐辛子粉末が０．５〜５重量％、前記展着剤が０．１〜０．５重量％含まれてなる請求項４に記載の鳥獣忌避剤。
【請求項６】
前記唐辛子粉末の粒径が０．０１ｍｍ〜０．２ｍｍである請求項４又は５に記載の鳥獣忌避剤。
【発明の詳細な説明】
【技術分野】
【０００１】
本発明は、犬や猫、あるいはハトやカラス等の鳥獣が、ゴミ集積場において生ゴミを漁らないようにする鳥獣忌避剤、及び該鳥獣忌避剤をゴミ袋等の表面に噴霧するために好適に用いられる噴霧器に関する。
【背景技術】
【０００２】
近年、ゴミ集積場に置かれたゴミ袋中の生ゴミを、犬や猫、あるいはハトやカラス等の鳥獣が漁る等して周囲にゴミを散らかし、周辺住民に不快感を与える事態が増加している。
【０００３】
そこで、かかる事態を防ぐために、ゴミ集積場にシートを用意して、かかるシートでゴミ袋を被覆したり、ゴミ集積場を金網で囲う等して、鳥獣がゴミ袋に近づくことを妨げる対策が取られている。
【０００４】
また、最近では、鳥獣が嫌がる成分を内包したマイクロカプセルを表面に有するゴミ袋が開発されている。かかるゴミ袋は、鳥獣がゴミを漁るためにゴミ袋を破った場合に、同時にマイクロカプセルも破れて、内包された成分が鳥獣の口やくちばしに付着することとなるため、鳥獣が嫌がり、以後、鳥獣がゴミを漁ることが無くなり、これによりゴミ集積場においてゴミが散乱することを防ごうとするものである（例えば、特許文献１参照）。
【特許文献１】特開２００３−６３６０２号公報（特許請求の範囲）
【０００５】
しかしながら、かかる態様では、特殊なゴミ袋の製造が必要となるためゴミ袋の製造に手間がかかり、ゴミ袋の製造コストを上げることとなった。また、従来のゴミ袋を有効に利用することができなかった。
【発明の開示】
【発明が解決しようとする課題】
【０００６】
本発明の目的は、従来のゴミ袋を用いてもなお、鳥獣がゴミ袋を漁ることを妨げて、ゴミ袋中の生ゴミが散乱することを防止し得る鳥獣忌避剤、及びかかる鳥獣忌避剤をゴミ袋等の表面に付着させるために好適に用いられる噴霧器を提供することにある。
【課題を解決するための手段】
【０００７】
本発明の要旨とするところは、唐辛子粉末を含む溶液を封入し得る容器と、前記容器内に空気を供給して、前記容器内を加圧する加圧手段と、前記加圧手段に接続されて、前記加圧手段から供給された空気を前記容器の内底部へ誘導する誘導管と、前記溶液に浸されて前記溶液を導入する導入口を下端に有し、前記溶液を容器外に排出する排出口を上端に有する排出管と、を含んで構成され、前記排出管の導入口に、前記排出管の中空部の断面積より大きいみかけ表面積を有するメッシュ部材が張られた、唐辛子粉末と伴に溶液を噴霧し得る噴霧器にある。
【０００８】
かかる構成により、容器の底部に沈殿した唐辛子粉末が加圧手段から供給された空気によって溶液中を対流することとなる。また、導入口の開口部が広げられることとなるため、排出管の導入口が唐辛子粉末によって詰まり難くなる。
【０００９】
また、本発明の噴霧器の要旨とするところは、前記メッシュ部材が、下方に突出する湾曲面を有して形成されたことにある。
【００１０】
かかる構成により、溶液は滑らかな層流を形成しながらメッシュ部材の表面を沿って上昇することとなる。
【００１１】
また、本発明の噴霧器の要旨とするところは、前記誘導管の下端から延出されて水平に延びる延長管を備え、前記延長管の壁面に、１又は複数のピンホールが形成され、前記延長管が前記メッシュ部材の下方に設けられたことにある。
【００１２】
かかる構成により、メッシュ部材の表面に空気が供給されることとなる。
【００１３】
本発明の鳥獣忌避剤の要旨とするところは、唐辛子の溶媒抽出物と、唐辛子粉末と、展着剤と、水とを含んで構成されることにある。
【００１４】
本発明の鳥獣忌避剤が、溶媒抽出物のみならず、唐辛子粉末と展着剤とを含んで構成されることにより、被付着物の表面に鳥獣忌避剤を吹き付けた際に、表面から溶媒抽出物が流れ落ちたり蒸散しても、唐辛子粉末が被付着物の表面に付着したまま残ることとなる。
【００１５】
また、本発明の鳥獣忌避剤の要旨とするところは、前記溶媒抽出物が１〜３５重量％、前記唐辛子粉末が０．５〜５重量％、前記展着剤が０．１〜０．５重量％含まれてなることにある。
【００１６】
また、本発明の鳥獣忌避剤の要旨とするところは、前記唐辛子粉末の粒径が０．０１ｍｍ〜０．２ｍｍであることにある。
【００１７】
かかる構成により、被付着物の表面に鳥獣忌避剤を噴霧しても、かかる被付着物の表面から鳥獣忌避剤が消失し難くなる。
【発明の効果】
【００１８】
本発明の鳥獣忌避剤は、鳥獣の嫌がる成分を含んで構成される。そして、本発明の鳥獣忌避剤をゴミ袋の表面に付着させることにより、かかる成分が付着したゴミ袋を鳥獣が破いて生ゴミを漁った場合には、口やくちばしにかかる成分が付着することとなり、以降は鳥獣がかかるゴミ袋を忌避することとなる。その結果、ゴミ集積場において、ゴミ袋の中の生ゴミが散乱することを防ぐことができる。また、本発明の鳥獣忌避剤は、被付着物の表面に吹き付けられた後、その表面から消失し難いため、ゴミ袋が鳥獣によって破られることを防ぐ効果を長時間保つことができる。また、本発明の鳥獣忌避剤は、従来のゴミ袋の表面に吹き付けて用いることができるため、ゴミ袋が鳥獣によって破られることを簡易に、かつ低コストで防ぐことができる。また、従来のゴミ袋をそのまま使用することができる。
【００１９】
本発明の噴霧器は、本発明にかかる鳥獣忌避剤を噴霧する際に、鳥獣忌避剤中の唐辛子粉末が容器内で目詰まりすることが防がれるため、被付着物に効率よく鳥獣忌避剤を吹き付けることができる。
【発明を実施するための最良の形態】
【００２０】
本発明にかかる鳥獣忌避剤について、以下に詳しく説明する。
【００２１】
本発明の鳥獣忌避剤は、唐辛子から溶媒を用いて抽出された抽出物と、唐辛子を砕いて得られた唐辛子粉末と、展着剤と、水とを含んで構成される。
【００２２】
本発明において用いられる抽出物は、具体的には、唐辛子５０ｇをミルで粉砕し、得られる粉末を溶媒１００ｍｌ中に浸漬し、室温で５時間撹拌した後、溶媒中の固形分をろ別し、得られるろ液から溶媒を留去することによって得ることができる。
【００２３】
抽出物を得る工程で用いられる溶媒は、鳥獣の嫌がる辛味成分を唐辛子から抽出することができるものであれば特に限定されるものではなく、具体的には、水、アセトン、ジエチルエーテル、ジクロロメタン、クロロホルム、ヘキサン、酢酸エチル、トルエン、ベンゼン、メタノール、エタノール、プロパノール等を挙げることができる。なお、かかる溶媒は、唐辛子から辛味成分を効率よく抽出でき、かつ、本発明の鳥獣忌避剤を鳥獣のみならず人間が口にしても害のないように、エタノールを用いることが好ましい。
【００２４】
本発明において用いられる唐辛子粉末は、乾燥した唐辛子をミルで粉砕して得ることができる。ここで、かかる唐辛子粉末の粒径は、０．０１ｍｍ〜０．２ｍｍであることが好ましく、０．０１ｍｍ〜０．１ｍｍであることがより好ましい。これにより、本発明の鳥獣忌避剤を後述の噴霧器を用いて被付着物に吹き付ける際に、唐辛子粉末によって噴霧器の目が詰まることを防ぐことができる。かかる唐辛子粉末の粒径は、０．０１ｍｍ以下であってもよいが、かかる態様とするには技術的に困難な場合もあるため、鳥獣忌避剤の製造コストを上げることとなる。また、０．２ｍｍ以上では、噴霧器の目を詰め易くなる。
【００２５】
本発明において用いられる展着剤は、本発明の鳥獣忌避剤の表面に対する濡れ性を向上させ得るものであればいずれの展着剤でもよく、市販の展着剤であってもよい。その一例として、ポリオキシエチレンノニルフェニルエーテル、リグニンスルホン酸カルシウム、有機溶剤、卵黄、大豆（レシチン）、ヘチマ（サポニン）、有機リン、マシン油乳化、石灰、ボルドー油、有機硫黄を成分とする展着剤を挙げることができる。なお、かかる展着剤は、天然物を主成分とする界面活性剤であることが好ましい。かかる構成により、本発明の鳥獣忌避剤は、鳥獣のみならず人間に対して悪影響を及ぼすことを防ぐことができる。
【００２６】
本発明の鳥獣忌避剤における、溶媒抽出物、唐辛子粉末、展着剤の含有量は、溶媒抽出物が１〜３５重量％、唐辛子粉末が０．５〜５重量％、展着剤が０．１〜０．５重量％であることが好ましく、溶媒抽出物が２０〜３０重量％、唐辛子粉末が０．５〜２重量％、展着剤が０．２〜０．４重量％であることがより好ましい。かかる構成により、鳥獣忌避効果を最大に引出すことができる。また、本発明の鳥獣忌避剤を被付着物の表面に吹き付けた際に、表面から鳥獣忌避剤が消失し難くなるため、鳥獣がゴミ袋を漁ることを防ぐ効果を長時間保つことができる。
【００２７】
次に、本発明にかかる鳥獣忌避剤を被付着物に噴霧するのに好適に用いられる噴霧器の態様について、図面に従って以下に詳しく説明する。
【００２８】
図１（ａ）は、本発明にかかる噴霧器の第１実施形態を示す。また、図１（ｂ）は、かかる第１実施形態の要部を示す。また図２は、本発明にかかる噴霧器の第２実施形態を示す。
【００２９】
図１（ａ）に従えば、本発明の噴霧器１０は、上述の鳥獣忌避剤１４を蓄える容器１８と、容器１８内に空気を供給して、容器１８内を加圧する加圧手段２２と、加圧手段２２に接続されて、加圧手段２２から供給された空気を容器１８の底部へ誘導する誘導管２６と、誘導管２６の下端に接続されて水平に延び、空気を導入する延長管５４と、延長管５４の壁面に形成されて空気を通過させる１又は複数のピンホール５８と、鳥獣忌避剤１４に浸されて鳥獣忌避剤１４を導入する導入口３０と、鳥獣忌避剤１４を容器１８外に排出する排出口３４と、を有する排出管３８と、導入口３０にフランジ４２を介して取り付けられた、下方に突出する湾曲面を有して形成されたメッシュ部材４６と、排出口３４に設けられたノズル５０とを含んで構成される。
【００３０】
ここで、図１（ｂ）に従えば、加圧手段２２は、一端が誘導管２６に接続されてなるシリンダー６２と、シリンダー６２内を摺動するピストン６６と、ピストン６６を押圧するトリガー７０とを含んで構成される。
【００３１】
本発明にかかる容器１８、加圧手段２２、ノズル５０は、従来一般に用いられる噴霧器が備える容器、加圧手段、ノズルを援用することができ、これにより、本発明にかかる噴霧器１０の製造コストを抑えることができる。なお、ノズル５０の噴出口７４は、唐辛子粉末によって目詰まりしないように、唐辛子粉末の粒径よりも大きくしておくことを要する。
【００３２】
本発明にかかる誘導管２６は、容器１８内の気密性を保持しつつ噴霧器１０に取り付けられていることが好ましい。かかる構成により、加圧手段２２から供給された空気が効率よく容器１８内に誘導されることとなり、容器１８内を効率的に加圧することができる。また、加圧手段２２から供給された空気を容器１８の底部に誘導するように誘導管２６が構成されることにより、容器１８内の底部に沈殿した唐辛子粉末が鳥獣忌避剤１４中を対流することとなるため、導入口３０に導入される鳥獣忌避剤１４中の唐辛子粉末含有量が均一となり、噴霧器１０によって鳥獣忌避剤１４を噴霧する際に、唐辛子粉末がムラなく噴霧されることとなる。
【００３３】
特に、本発明の噴霧器１０が、壁面にピンホール５８を有し、かつメッシュ部材４６の下方に設けられてなる延長管５４を備えて構成されることにより、鳥獣忌避剤１４のみならず、空気もメッシュ部材４６の表面を上昇することとなる。その結果、メッシュ部材４６表面に唐辛子粉末が張り付いても、かかる空気によってメッシュ部材４６の表面から唐辛子粉末を引き剥がすことが可能となり、メッシュ部材４６が目詰まりすることをより効果的に防ぐことができる。なお、かかる延長管５４の末端は、その開口部が封止されていることが好ましい。かかる構成により、延長管５４を通過する空気はピンホール５８のみから鳥獣忌避剤１４中に供給されることとなるため、より多くの空気をメッシュ部材４６の表面に供給することができる。
【００３４】
本発明にかかる導入口３０は、下方に突出する湾曲面を有して形成されたメッシュ部材４６を、フランジ４２を介して備えることにより、空気によって対流された鳥獣忌避剤１４が滑らかな層流を形成しながらメッシュ部材４６の表面に沿って上昇することとなるため、唐辛子粉末は速やかにメッシュ部材４６を透過することとなる。このため、平面状のメッシュ部材をフランジ４２を介して導入口３０に取り付けた場合に比して、メッシュ部材は唐辛子粉末によって塞がれ難いため、メッシュ部材４６が目詰まりすることを防ぐことができる。また、唐辛子粉末がメッシュ部材４６付近で滞留することが防がれるため、速やかに唐辛子粉末を導入口３０に導入することができる。なお、本発明にかかるメッシュ部材４６の目の大きさは、唐辛子粉末で目が詰まることのないように、唐辛子粉末の粒径よりも大きくしておくことを要する。
【００３５】
また、図２に従えば、本発明の噴霧器１０は、誘導管２６から延長管５４が延出されずに構成される。かかる構成によっても、容器１８の内底部に導入された空気によって、容器１８内の底部に沈殿した唐辛子粉末を鳥獣忌避剤１４中を対流させることが可能となる。かかる態様とすることにより、本発明の噴霧器１０の製造コストを抑えることができる。
【００３６】
なお、他の部分の構成などは、先の第１実施形態によるものと同一であるため、ここでの説明は省略する。
【００３７】
以上、本発明の鳥獣忌避剤、及び鳥獣忌避剤の噴霧に好ましく用いられる噴霧器の実施態様を詳述したが、本発明は上述の実施態様に限定されるものではなく、その他の態様でも実施しうるものである。
【００３８】
本発明の鳥獣忌避剤は、鳥獣の嫌がる成分を含んで構成されていればよく、唐辛子成分の他に、にんにくや山椒、わさび等の溶媒抽出物、あるいは、これらの粉末を含んで構成されてもよい。かかる構成により、鳥獣忌避剤をゴミ袋等に吹き付けた際に、鳥獣がゴミ袋の中のゴミを漁ることをより強力に防ぐことができる。
【００３９】
本発明の鳥獣忌避剤は、さらに消泡剤を含んで構成されてもよい。かかる構成により、本発明の鳥獣忌避剤を本発明の噴霧器で噴霧するに際し、容器内で鳥獣忌避剤から泡が発生することが抑制されることとなるため、鳥獣忌避剤の円滑な噴霧を行うことができる。
【００４０】
本発明の噴霧器は、メッシュ部材が唐辛子粉末等で目詰まりし難い態様であればよい。したがって、メッシュ部材の形状は、下方に突出する湾曲面を有して形成された態様に限られるものではなく、メッシュ部材が湾曲面（図示しない）を有して形成され、メッシュ部材のみかけ表面積が排出管の中空部の断面積よりも大きくなるように構成されていればよい。
【００４１】
その他、本発明はその趣旨を逸脱しない範囲内で、当業者の知識に基づき種々なる改良、修正、変形を加えた態様で実施しうるものである。
【００４２】
以下に本発明を実施例に基づいて説明するが、本発明はこれらの実施例に限定されるものではない。
（実施例１）
【００４３】
（唐辛子のエタノール抽出物の調製）
唐辛子５０ｇをミルで粉砕し、この唐辛子の粉末にエタノール１００ｍｌを加えた。室温で５時間撹拌し、固形分をろ別した後、ろ液からエタノールを留去して、６０ｍｌのエタノール抽出物を得た。
【００４４】
（唐辛子粉末の調製）
乾燥した唐辛子をミルで粉砕し、平均の粒径が０．０１ｍｍ〜０．２ｍｍである唐辛子粉末を得た。
【００４５】
得られたエタノール抽出物２５ｇ、及び唐辛子粉末１ｇに、展着剤（商品名：ダイン、住化タケダ農薬（株）社製）０．３ｇと水７３ｇとを加え、本発明にかかる鳥獣忌避剤を得た。
【００４６】
本発明にかかる鳥獣忌避剤を、生ゴミの入ったゴミ袋の表面に満遍無く噴霧した後、ゴミ集積所に放置し、鳥獣忌避効果の有無、及びその効果の持続性を調べた。その結果を表１に示す。
【００４７】
【表１】
2005176795.tif 000003
（比較例１）
【００４８】
唐辛子粉末を混合しない以外は実施例１と同様にして、鳥獣忌避剤を得た。得られた鳥獣忌避剤を、生ゴミの入ったゴミ袋の表面に満遍無く噴霧した後、ゴミ集積所に放置し、鳥獣忌避効果の有無、及びその効果の持続性を調べた。その結果を表１に示す。
【００４９】
実施例１及び比較例１の結果から、いずれの鳥獣忌避剤も、鳥獣が生ゴミを漁ることを防ぐ効果を有することが分かったが、唐辛子粉末を含んで構成される本発明の鳥獣忌避剤の方が、その効果を長期に渡って発揮し得ることが分かった。また、本発明の鳥獣忌避剤によって、鳥獣がゴミ袋を漁ることを効果的に防止するためには、３日おきに鳥獣忌避剤をゴミ袋に噴霧することが好ましいことが分かった。
【図面の簡単な説明】
【００５０】
【図１（ａ）】本発明にかかる噴霧器の第１実施形態を示す。
【図１（ｂ）】本発明にかかる噴霧器の第１実施形態の要部を示す。
【図２】本発明にかかる噴霧器の第２実施形態を示す。
【符号の説明】
【００５１】
１０：噴霧器
１４：鳥獣忌避剤
１８：容器
２２：加圧手段
２６：誘導管
３０：導入口
３４：排出口
３８：排出管
４２：フランジ
４６：メッシュ部材
５０：ノズル
５４：延長管
５８：ピンホール
６２：シリンダー
６６：ピストン
７０：トリガー
７４：噴出口
【図１（ａ）】
2005176795.tif 000004
【図１（ｂ）】
2005176795.tif 000005
【図２】
2005176795.tif 000006